(57)【特許請求の範囲】
【請求項１】
化粧料を収容する容器本体、容器本体と蝶着している蓋体、及び三面鏡を備えたコンパクト容器であって、
三面鏡が、該三面鏡が閉じた状態で順次重なる中央鏡、第１袖鏡及び第２袖鏡からなり、
中央鏡、第１袖鏡及び第２袖鏡が、それぞれ枠体に取り付けられ、
蓋体の内側に中央鏡用枠体を有し、
中央鏡用枠体の両端部に第１袖鏡用枠体と第２袖鏡用枠体がそれぞれ蝶番部材によって取り付けられ、
第２袖鏡用枠体が弾性樹脂材料から形成され、
第１袖鏡が閉じた状態で、第２袖鏡用枠体の蝶番部材と反対側の端部を第１袖鏡用枠体へ押圧後その押圧を解除すると、該端部が第１袖鏡用枠体から浮き上がった状態で第２袖鏡が閉じるコンパクト容器。
【請求項２】
第２袖鏡用枠体の蝶番部材が、スプリングピン又は波形スプリングピンにより接合されている請求項１記載のコンパクト容器。
【請求項３】
第２袖鏡用枠体の第２袖鏡側面の蝶番部材近傍に突起が設けられている請求項１記載のコンパクト容器。
【請求項４】
第２袖鏡を開くときに第１袖鏡用枠体の縁部に接触することにより第１袖鏡を浮き上がらせる接触構造が、第２袖鏡用枠体の蝶番部材に設けられている請求項１〜３のいずれかに記載のコンパクト容器。
【請求項５】
前記接触構造が、第２袖鏡用枠体の蝶番部材の回転筒に形成された切り欠き部からなる
請求項４記載のコンパクト容器。
【請求項６】
前記接触構造が、第２袖鏡用枠体の蝶番部材の回転筒に形成されたリブからなる請求項
４記載のコンパクト容器。
【請求項７】
前記接触構造が、第２袖鏡用枠体の蝶番部材の回転筒の外周面に設けられた滑り止め部
材からなる請求項４記載のコンパクト容器。
【発明の詳細な説明】
【技術分野】
【０００１】
本発明は、ファンデーション、チーク、アイシャドウ等の化粧料を収容するコンパクトな鏡付容器に関する。
【背景技術】
【０００２】
ファンデーション、チーク、アイシャドウ等の化粧料を収容するコンパクト容器として、化粧料を収容する容器本体と、容器本体に開閉自在に蝶着された蓋体からなり、蓋体の内側に平面鏡を貼着したものが普及している。また、このようなコンパクト容器であって、蓋体の内側に三面鏡を取り付けたものが提案されている（特許文献１、特許文献２）。
【０００３】
【特許文献１】特開２０００−１７５７３８号公報
【特許文献２】登録実用新案第３０２０８９９号公報
【発明の開示】
【発明が解決しようとする課題】
【０００４】
コンパクト容器に取り付けられる三面鏡では、狭い容器スペース内で、できる限り広い鏡面を確保するため、三面鏡が閉じた状態で、中央鏡とその上に順次重なる第１袖鏡と第２袖鏡とが、隙間無く折りたたまれるようにすることが望ましい。
【０００５】
しかしながら、三面鏡が隙間無く折りたたまれ、三つの鏡がちょうど重なるようにすると、閉じている三面鏡を開くことが難しくなる。
【０００６】
これに対して、本発明は、三面鏡付のコンパクト容器において、三面鏡の開閉が容易に行われるようにすることを目的とする。
【課題を解決するための手段】
【０００７】
本発明者は、三面鏡が閉じた状態で中央鏡とその上に順次重なる第１袖鏡と第２袖鏡とからなり、第１袖鏡用枠体と第２袖鏡用枠体が中央鏡用枠体の両側に蝶番で取り付けられている場合に、三面鏡を通常の操作でたたんだときに、第２袖鏡用枠体の蝶番部材と反対側の端部が第１袖鏡用枠体から浮き上がるように第２袖鏡用枠体を構成すると、三面鏡をたたんで蓋体を閉じた状態から蓋体を開けたときに、第２袖鏡用枠体の蝶番部材と反対側の端部が第１袖鏡用枠体から浮き上がり、その端部に指をかけることにより容易に第２袖鏡を開くことができること、さらに、第２袖鏡が開くときに第２袖鏡用枠体の蝶番部材に第１袖鏡用枠体の縁部が接触し、第２袖鏡用枠体の蝶番部材の回転に伴って第１袖鏡用枠体の端部が第１袖鏡の開く方向に浮き上がるようにすると、その浮き上がった第１袖鏡用枠体に指をかけることができるので、第１袖鏡も容易に開けられることに想到した。
【０００８】
即ち、本発明は、化粧料を収容する容器本体、容器本体と蝶着している蓋体、及び三面鏡を備えたコンパクト容器であって、
三面鏡が、該三面鏡が閉じた状態で順次重なる中央鏡、第１袖鏡及び第２袖鏡からなり、
中央鏡、第１袖鏡及び第２袖鏡が、それぞれ枠体に取り付けられ、
蓋体の内側に中央鏡用枠体を有し、
中央鏡用枠体の両端部に第１袖鏡用枠体と第２袖鏡用枠体がそれぞれ蝶番部材によって取り付けられ、
第２袖鏡用枠体が弾性樹脂材料から形成され、
第１袖鏡が閉じた状態で、第２袖鏡用枠体の蝶番部材と反対側の端部を第１袖鏡用枠体へ押圧後その押圧を解除すると、該端部が第１袖鏡用枠体から浮き上がった状態で第２袖鏡が閉じるコンパクト容器を提供する。
【発明の効果】
【０００９】
本発明のコンパクト容器によれば、三面鏡を閉じた状態で中央鏡と一対の袖鏡がちょうど重なり合うように折りたたまれ、かつ、三面鏡をたたんで蓋体を閉じた状態から蓋体を開けると、第２袖鏡用枠体の蝶番部材と反対側の端部が第１袖鏡用枠体から浮き上がっているので、その浮き上がった端部に指をかけることにより容易に第２袖鏡を開くことができる。
【００１０】
さらに、本発明のコンパクト容器において、第２袖鏡が開くときに第１袖鏡用枠体の縁部に接触することにより第１袖鏡を浮き上がらせる接触構造を第２袖鏡用枠体の蝶番部材に設けた態様によれば、第２袖鏡を開くことで、第１袖鏡用枠体が浮き上がるので、浮き上がった第１袖鏡用枠体に指をかけることにより、第１袖鏡も容易に開くことが可能となる。
【発明を実施するための最良の形態】
【００１１】
以下、図面を参照しつつ、本発明を詳細に説明する。なお、各図中、同一符号は同一又
は同等の構成要素を表している。
【００１２】
図１は、本発明の一実施例のコンパクト容器１Ａであって、三面鏡１０を開いた状態の
斜視図である。
【００１３】
このコンパクト容器１Ａは、ファンデーション、チーク、アイシャドウ等の化粧料Ａを収容する容器本体５、三面鏡１０、及び容器本体５の開口面を開閉自在に覆う蓋体３０からなり、三面鏡１０は中央鏡１１と左右一対の第１袖鏡１４ａ、第２袖鏡１４ｂからなる。
【００１４】
容器本体５には、化粧料Ａの他、必要に応じてスポンジ６、はけ、ブラシ（図示せず）等の化粧用具が収容されるスペースが設けられる。
【００１５】
蓋体３０は、蓋外側部材３１に中央鏡用枠体１２を接合したものからなり、この中央鏡用枠体１２に中央鏡１１が接着剤、粘着剤等により貼着されている。蓋体３０は、中央鏡１１の下端側で容器本体５と蝶番を介してつながっている。
【００１６】
一対の袖鏡１４ａ、１４ｂは、袖鏡用枠体１５ａ、１５ｂに接着剤、粘着剤等により貼着され、袖鏡用枠体１５ａ、１５ｂが、中央鏡用枠体１２の両端部の第１蝶番１３ａ、第２蝶番１３ｂにより、具体的には中央鏡用枠体１２の蝶番部材１８ａ、１８ｂに、第１袖鏡用枠体１５ａの蝶番部材１９ａ、第２袖鏡用枠体１５ｂの蝶番部材１９ｂをピン１６ａ、１６ｂで掛合することにより、蝶着されている。
【００１７】
図２は、三面鏡１０をたたみ、さらに蓋体３０を閉じた状態のＸ−Ｘ方向の断面図である。このように、このコンパクト容器１Ａでは、三面鏡１０の中央鏡１１と第１袖鏡１４ａと第２袖鏡１４ｂとがちょうど重なり合うように、それらの枠体１２、１５ａ、１５ｂが蝶着されている。したがって、コンパクト容器内において、三面鏡の鏡面の面積をできる限り広く確保することが可能となる。
【００１８】
図３Ａは、図１のコンパクト容器１Ａの第１袖鏡１４ａをたたみ、さらに第２袖鏡１４ｂをたたむときに、第２袖鏡用枠体１５ｂの蝶番部材１９ｂと反対側（即ち、第２蝶番１３ｂと反対側）に位置する端部１５ｂｘを矢印のように第１袖鏡用枠体１５ａへ押圧している状態を示す断面図であり、図３Ｂは、押圧により第２袖鏡用枠体１５ｂが破線で示すように撓んでその端部１５ｂｘが第１袖鏡用枠体１５ａの背面に当接した後、押圧を解除した状態を実線で示す断面図である。
【００１９】
図３Ａ、図３Ｂに示すように、このコンパクト容器１Ａでは、三面鏡１０をたたむ通常の操作にしたがって第２袖鏡用枠体１５ｂの背面の端部１５ｘｂを第１袖鏡用枠体へ押圧すると、第２袖鏡用枠体１５ｂが若干撓み、第２袖鏡１４ｂの全面が第１袖鏡用枠体１５ａの背面と完全には面接触しない状態で第２袖鏡１４ｂが閉じ、押圧を解除すると第２袖鏡用枠体１５ｂの端部１５ｂｘが第１袖鏡用枠体１５ａから浮き上がった状態となるように第２袖鏡用枠体１５ｂが構成されている。より具体的には、第２袖鏡用枠体１５ｂの第２蝶番１３ｂが、それを閉じようとする押圧に対して適度に大きな抗力を与えるように構成されており、かつ、押圧の有無により、撓んだり、撓みが解消したりするように第２袖鏡用枠体１５ｂが弾性樹脂材料から形成されている。
【００２０】
第２蝶番１３ｂが、それを閉じようとする押圧に対して適度に大きな抗力を与えるようにするには、例えば、第２袖鏡用枠体１５ｂの蝶番部材１９ｂと中央鏡用枠体１２の蝶番部材１８ｂとの回転における摩擦力を高める。そのための具体的手法としては、第２袖鏡用枠体１５ｂの蝶番部材１９ｂと中央鏡用枠体１２の蝶番部材１８ｂとを接合するピン１６ｂとして、図４Ａに示すような波形スプリングピン１６ｘや、図４Ｂに示すようなスプリングピン１６ｙを使用して、その開き力を調整すればよい。なお、ピン１６ｂと蝶番部材１８ｂ、１９ｂとの回転における摩擦力の大きさは、三面鏡１０をたたむ通常の操作にしたがって第２袖鏡用枠体１５ｂの端部１５ｘｂを第１袖鏡用枠体１５ａへ押圧することによりその端部１５ｂｘを第１袖鏡用枠体１５ａの背面に当接させたとき、第２袖鏡用枠体１５ｂにおいて回転を阻止する摩擦力と端部１５ｘｂへの押圧による回転力により両端で力が逆向きに加わる結果、撓みが生じ（図３Ｂの破線の状態）、その後押圧を解除したときにはその撓みがなくなる（図３Ｂの実線の状態）ことにより第２袖鏡用枠体１５ｂの端部ｂｘが浮き上がるように設定する。例えば、第２袖鏡用枠体１５ｂの端部１５ｘｂを第１袖鏡用枠体１５ａへ押圧することにより第２袖鏡用枠体１５ｂの端部１５ｂｘを第１袖鏡用枠体１５ａの背面に当接させ、その後押圧を解除したときの第２袖鏡用枠体１５ｂの端部１５ｂｘでの第１袖鏡用枠体１５ａの背面からの鏡枠浮き量が１〜５ｍｍ程度とすることが好ましい。また、第２袖鏡用枠体１５ｂを蝶番部材１９ｂ近傍で押圧することにより、第２袖鏡用枠体１５ｂがほとんど撓む余地無く、押圧力が直接的に蝶番部材１９ｂにかかるようにした場合には、第２袖鏡用枠体１５ｂの端部１５ｂｘが浮き上がらず、第２袖鏡１４ｂが第１袖鏡用枠体１５ａの背面にほぼ面接触する程度とすることが好ましい。
【００２１】
この他、第２袖鏡用枠体１５ｂが、それを閉じようとする力に対して抗力を受けるようにする手法としては、図５に示すように、第２袖鏡用枠体１５ｂの第２袖鏡１４ｂ側の面の蝶番部材１９ｂ近傍に、第２袖鏡１４ｂが第１袖鏡用枠体１５ａの背面と面接触することを阻害する突起１７を設けてもよい。この場合、突起１７の第２袖鏡１４ｂの鏡面からの高さは、０．０７〜０．３６ｍｍが好ましい。
【００２２】
第２袖鏡用枠体１５ｂを形成する弾性樹脂材料としては、従来より使用されている樹脂の中で弾性に優れているもの、例えば、厚さ０．８〜２．５ｍｍのＡＢＳ樹脂、ＡＳ樹脂、ＰＣＴＡ樹脂（ポリシクロヘキシレンジメチレンテレフタレート/イソフタル酸共重合体）、ＰＰ樹脂等とすることが好ましい。
【００２３】
このコンパクト容器１Ａは、図２の蓋体３０が閉じた状態から蓋体３０を開けると、三面鏡１０は、図３Ｂに示したように、第２袖鏡用枠体１５ｂの蝶番部材１９ｂと反対側の端部１５ｂｘが第１袖鏡用枠体１５ａから浮き上がった状態となる。したがって、この浮き上がった端部１５ｘｂに指をかけることにより、容易に第２袖鏡１４ｂを開く事が可能となる。
【００２４】
本発明においては、三面鏡１０が閉じていた状態から第２袖鏡１４ｂを容易に開けるようにすることに加えて、第１袖鏡１４ａも容易に開けるようにすることが好ましい。このため、第２袖鏡用枠体１５ｂの蝶番部材１９ｂには、第２袖鏡１４ｂを開くときに第１袖鏡用枠体１５ａの縁部に接触することにより第１袖鏡１４ａを浮き上がらせる接触構造を設けられることが好ましい。
【００２５】
この接触構造として、図１のコンパクト容器１Ａには、第２袖鏡用枠体１５ｂの蝶番部材１９ｂの回転筒に切り欠き部２０を設け、切り欠きの残部である縁部２０ａを突出させている。また、第１袖鏡用枠体１５ａと第２袖鏡用枠体１５ｂの縁部には、それぞれ先端に向かって厚みを薄くした突出部２１ａ、２１ｂを設けている。したがって、このコンパクト容器１Ａの使用時に閉じた三面鏡１０を開く際には、図６（ａ）に示すように、まず第２袖鏡用枠体１５ｂの浮き上がった端部１５ｂｘにある突出部２１ｂに指をかけて第２袖鏡１４ｂを開く。これにより、容易に第２袖鏡１４ｂを開くことができる。同図（ｂ）に示すように第２袖鏡１４ｂの開きが大きくなると、第２袖鏡用蝶番部材１９ｂの回転筒に設けられている切り欠き部２０の縁部２０ａが第１袖鏡用枠体１５ａの縁部の突出部２１ａを押し上げ、同図（ｃ）に示すように第２袖鏡１４ｂが完全に開いた状態では、第１袖鏡用枠体１５ａの縁部の突出部２１ａは、容易に指をかけられる程度に、第１袖鏡１４ａの開く方向に浮き上がっている。よって、この突出部２１ａに指をかけることにより、第１袖鏡１４ａも容易に開くことができる。
【００２６】
さらに、このコンパクト容器１Ａの第２袖鏡用枠体１５ｂには、第２袖鏡１４ｂと蝶番部材１９ｂの回転筒との間に、第２袖鏡１４ｂの鏡面よりも凹んだ凹部２２が形成されている。したがって、開いていた三面鏡１０を閉じる際に、まず第１袖鏡１４ａを閉じ、次いで第２袖鏡１４ｂを閉じるとき、従前の三面鏡では、第１袖鏡１４ａが完全に閉じていない状態で第２袖鏡１４ｂを閉じようとすると、第１袖鏡１４ａが引っかかって第２袖鏡１４ｂが閉め難くなっていたが、このコンパクト容器によれば、図７（ａ）に示すように、第２袖鏡１４ｂに当接している第１袖鏡用枠体１５ａの縁部の突出部２１ａが、第２袖鏡用枠体１５ｂの凹部２２に滑るように入るので、同図（ｂ）に示すように、引っかかり無く滑らかに第２袖鏡１４ｂを閉じることが可能となる。
【００２７】
本発明は、この他種々の態様をとることができる。例えば、図８のコンパクト容器１Ｂは、第１袖鏡用枠体１５ａの縁部に接触する接触構造として、第２袖鏡用枠体１５ｂの蝶番部材１９ｂの回転筒にリブ２３を設けたものである。図９（ａ）は、図８のコンパクト容器１Ｂのｘ−ｘ断面の拡大図である。このコンパクト容器１Ｂによれば、閉じていた三面鏡１０を開く際に、まず第２袖鏡１４ｂを開いていくと、図９（ｂ）に示すように、第２袖鏡用枠体１５ｂの蝶番部材１９ｂのリブ２３が第１袖鏡用枠体１５ａの縁部の突出部２１ａを押し上げ、同図（ｃ）に示すように、第２袖鏡１４ｂが完全に開いた状態では、第１袖鏡用枠体１５ａの縁部の突出部２１ａは、容易に指をかけられる程度に、第１袖鏡１４ａの開く方向に浮き上がってくる。よって、この突出部２１ａに指をかけることにより、容易に第１袖鏡１４ａを開くことができる。
【００２８】
本発明において、第２袖鏡用枠体１５ｂの蝶番部材１９ｂを第１袖鏡用枠体１５ａの縁部と接触させるための構造を特に設けることなく、第１袖鏡用枠体１５ａと蝶番部材１９ｂの位置及び寸法を調整し接触させてもよい。その際、図１０（ａ）に示すように、その蝶番部材１９ｂの回転筒の外周面にゴム材等の滑り止め部材２４を設けることが好ましい。この場合、袖鏡１４ａ、１４ｂの開閉時に、第２袖鏡用枠体１５ｂの蝶番部材１９ｂに設けた滑り止め部材２４と接触することとなる第１袖鏡用枠体１５ａの縁部にも滑り止め部材２５を設け、双方の接触時の摩擦力を高めることが好ましい。これにより、閉じていた三面鏡１０の第２袖鏡１４ｂを開いていくと、図１０（ｂ）に示すように、滑り止め部材２４、２５同士の摩擦力により第１袖鏡用枠体１５ａが擦り上げられ、同図（ｃ）に示すように、第２袖鏡１４ｂが完全に開いた状態では、第１袖鏡用枠体１５ａの縁部は、容易に指をかけられる程度に浮き上がる。よって、ここに指をかけることにより、容易に第１袖鏡１４ａを開ことができる。
【産業上の利用可能性】
【００２９】
本発明のコンパクト容器は、ファンデーション、チーク、アイシャドウ等の化粧料を収
容する容器として有用である。
【図面の簡単な説明】
【００３０】
【図１】本発明の一実施例のコンパクト容器において、三面鏡を開いた状態の斜視図である。
【図２】図１のコンパクト容器が閉じた状態の断面図である。
【図３Ａ】図１のコンパクト容器において、第２袖鏡用枠体を押圧している状態の蓋体の断面図である。
【図３Ｂ】図１のコンパクト容器において、第２袖鏡用枠体の端部の押圧を解除した状態の蓋体の断面図である。
【図４Ａ】波形スプリングピンの斜視図である。
【図４Ｂ】スプリングピンの斜視図である。
【図５】第２袖鏡用枠体の第２袖鏡側面の蝶番部材近傍に突起を有する蓋体の斜視図である。
【図６】図１のコンパクト容器において、三面鏡を開くときの袖鏡の作用の説明図である。
【図７】図１のコンパクト容器において、三面鏡を閉じるときの袖鏡の作用の説明図である。
【図８】本発明の異なる態様のコンパクト容器において、三面鏡を開いた状態の斜視図である。
【図９】図８のコンパクト容器において、三面鏡を開くときの袖鏡の作用の説明図である。
【図１０】更に異なる本発明のコンパクト容器において、三面鏡を開くときの袖鏡の作用の説明図である。
【符号の説明】
【００３１】
１Ａ、１Ｂ  コンパクト容器
５    容器本体
６    スポンジ
１０    三面鏡
１１    中央鏡
１２    中央鏡用枠体
１３ａ  第１蝶番
１３ｂ  第２蝶番
１４ａ  第１袖鏡
１４ｂ  第２袖鏡
１５ａ  第１袖鏡用枠体
１５ｂ  第２袖鏡用枠体
１５ｂｘ  第２袖鏡用枠体の端部
１６ａ、１６ｂ  ピン
１６ｘ  波形スプリングピン
１６ｙ  スプリングピン
１７    突起
１８ａ、１８ｂ  中央鏡用枠体の蝶番部材
１９ａ、１９ｂ  袖鏡用枠体の蝶番部材
２０    切り欠き部
２０ａ  切り欠き部の縁部
２１ａ  突出部
２１ｂ  突出部
２２    凹部
２３    リブ
２４    滑り止め部材
２５    滑り止め部材
３０    蓋体
３１    蓋外側部材
Ａ    化粧料
【図１】
0004683215.tif 000002
【図２】
0004683215.tif 000003
【図３Ａ】
0004683215.tif 000004
【図３Ｂ】
0004683215.tif 000005
【図４Ａ】
0004683215.tif 000006
【図４Ｂ】
0004683215.tif 000007
【図５】
0004683215.tif 000008
【図６】
0004683215.tif 000009
【図７】
0004683215.tif 000010
【図８】
0004683215.tif 000011
【図９】
0004683215.tif 000012
【図１０】
0004683215.tif 000013